(57)【要約】【課題】音声データにリンクされている画像データのリンク位置を容易に調節できる情報処理装置及び情報処理プログラムを提供すること。【解決手段】複数の任意の再生時間位置それぞれにインデクスとなる画像データがリンクされた音声データを処理することが可能な情報処理装置は、その情報処理プログラムによって、上記音声データを再生させ、上記画像データがリンクされている上記音声データ中の再生時間位置である画像インデクス位置を画面上に表示させ、上記音声データの再生中に、操作者の指示に従い上記画像インデクス位置を変更でき、その変更が終了した後に、上記変更が行われた上記画像インデクス位置へ音声データの再生位置を移動させることができる。【選択図】　図１
2004133134.tif 000002
【特許請求の範囲】
【請求項１】
複数の任意の再生時間位置それぞれにインデクスとなる画像データがリンクされた音声データを処理することが可能な情報処理装置において、
上記画像がリンクされている再生時間位置を変更する変更手段と、
上記変更が行われたときには、音声データを上記変更後の上記インデクス画像がリンクされている再生時間位置から再生が開始されるように設定する設定手段と、
を具備することを特徴とする情報処理装置。
【請求項２】
複数の任意の再生時間位置それぞれにインデクスとなる画像データがリンクされた音声データを処理することが可能な情報処理装置において、
上記音声データを再生する再生手段と、
上記画像データがリンクされている上記音声データ中の再生時間位置である画像インデクス位置を表示する表示手段と、
上記音声データの再生中に上記画像インデクス位置を変更させる変更手段と、
上記変更が終了した後、上記変更が行われた上記画像インデクス位置へ音声データの再生位置を移動する再生位置移動手段と、
を具備することを特徴とする情報処理装置。
【請求項３】
複数の任意の再生時間位置それぞれにインデクスとなる画像データがリンクされた音声データをコンピュータに処理させる情報処理プログラムにおいて、
上記情報処理プログラムはコンピュータに、
上記音声データを再生させ、
上記画像データがリンクされている上記音声データ中の再生時間位置である画像インデクス位置を画面上に表示させ、
上記音声データの再生中に、操作者の指示に従い上記画像インデクス位置を変更させ、
上記変更が終了した後、上記変更が行われた上記画像インデクス位置へ音声データの再生位置を移動させる
ことを特徴とする情報処理プログラム。
【発明の詳細な説明】
【０００１】
【発明の属する技術分野】
本発明は、情報処理装置及び情報処理プログラム、詳しくは、音声データ及び画像データをリンクさせて処理できる情報処理装置及び情報処理プログラムに関する。
【０００２】
【従来の技術】
従来、音声をデジタル化して記録するのに、フラッシュメモリのような書き換え可能な半導体メモリに記憶し、再生時には音声データをアナログ化して再生する携帯型の音声記録再生装置が実用化されている。
【０００３】
一方、画像を撮像する機能を備えたカメラ付き音声記録再生装置も開発されている。
【０００４】
従来、音声データや画像データなどの情報を記録再生する情報処理装置では、録音中に静止画を撮影した場合には、その撮影したタイミングを記録しておき、音声再生時には撮影したタイミングで撮影された静止画を表示することが行われている（例えば、特許文献１参照）。
【０００５】
【特許文献１】
特開２００１−６９４５３号公報（第１−３頁、図１参照）
【０００６】
【発明が解決しようとする課題】
しかしながら、上記従来技術では、音声データに対する画像データの表示タイミングの定義、すなわち、音声データに対する画像データの時間的な対応関係（リンク）を録音中に行っているが、その画像データのリンク位置を後で調節したい場合についての記載がない。
【０００７】
本発明は、上記の問題に鑑みてなされたもので、音声データにリンクされている画像データのリンク位置を容易に調節できるようにした情報処理装置及び情報処理プログラムを提供することを目的とする。
【０００８】
【課題を解決するための手段】
本発明は、複数の任意の再生時間位置それぞれにインデクスとなる画像データがリンクされた音声データを処理することが可能な情報処理装置において、上記画像がリンクされている再生時間位置を変更する変更手段と、上記変更が行われたときには、音声データを上記変更後の上記インデクス画像がリンクされている再生時間位置から再生が開始されるように設定する設定手段と、を具備したものである。
【０００９】
この構成により、画像がリンクされている音声データの再生時間位置を変更するように操作すると、変更後のインデクス画像がリンクされている再生時間位置から再生が開始されるように設定が行われる。
【００１０】
また、本発明は、複数の任意の再生時間位置それぞれにインデクスとなる画像データがリンクされた音声データを処理することが可能な情報処理装置において、上記音声データを再生する再生手段と、上記画像データがリンクされている上記音声データ中の再生時間位置である画像インデクス位置を表示する表示手段と、上記音声データの再生中に上記画像インデクス位置を変更させる変更手段と、上記変更が終了した後、上記変更が行われた上記画像インデクス位置へ音声データの再生位置を移動する再生位置移動手段と、を具備したものである。
【００１１】
この構成により、音声データを再生中に、再生時間位置である画像インデクス位置を変更すると、変更が行われた画像インデクス位置へ音声データの再生位置がジャンプして移動し、その移動した時間位置から再生を開始することができる。
【００１２】
さらに、本発明は、複数の任意の再生時間位置それぞれにインデクスとなる画像データがリンクされた音声データをコンピュータに処理させる情報処理プログラムにおいて、上記情報処理プログラムは、コンピュータに、上記音声データを再生させ、上記画像データがリンクされている上記音声データ中の再生時間位置である画像インデクス位置を画面上に表示させ、上記音声データの再生中に、操作者の指示に従い上記画像インデクス位置を変更させ、上記変更が終了した後、上記変更が行われた上記画像インデクス位置へ音声データの再生位置を移動させることを特徴とするものである。
【００１３】
この情報処理プログラムにより、音声データを再生中に、再生時間位置である画像インデクス位置を変更すると、変更が行われた画像インデクス位置へ音声データの再生位置がジャンプして移動し、その移動した時間位置から再生を開始することができる。
【００１４】
【発明の実施の形態】
発明の実施の形態について図面を参照して説明する。
図１は本発明の一実施の形態の情報処理装置におけるパソコン側アプリケーションの要部の動作フローを示している。また、図２はその動作フローに対応するアプリケーション画面を示している。
【００１５】
図１及び図２で本発明の要部を説明する前に、図３〜図５を参照して情報処理プログラムを格納した情報処理装置としてのコンピュータ（以下、パソコン又はＰＣと略記する）と、撮像機能を備えた音声記録再生装置（以下、レコーダと記す）との接続関係、レコーダの概略構成、並びに画像ファイルがリンク付けされている音声ファイルの構成について説明する。
【００１６】
図３は本発明の一実施の形態である情報処理装置に使用するコンピュータと、レコーダとの接続状態を外観的に示している。
図３に示すように、撮像機能を備えたカメラ付きレコーダ１００は、ＵＳＢケーブル２００を介してパソコン３００に接続されている。
【００１７】
レコーダ１００は、マイクロフォンなどの音声入力装置と、スピーカなどの音声出力装置と、ＣＣＤなどの撮影素子と、書換え可能な半導体メモリ（例えばフラッシュメモリ）などの記憶装置と、液晶パネルなどの表示装置と、入出力端子としてのＵＳＢポートと、各種の操作ボタンを有する操作部とを少なくとも具備し、電池を電源として駆動可能となっている。ＵＳＢケーブル２００を外すことにより、携帯できるようになっている。そして、レコーダ１００は、内蔵のマイクロフォン及び撮像素子を用いて音声信号及び画像信号、或いは音声信号，画像信号のどちらか一方を取得して、内部の書換え可能な前記記憶装置に記憶できるようになっている。
【００１８】
一方、パソコン３００は、パソコン本体３０１と、キーボードやマウス（図示せず）などの入力装置３０２と、液晶ディスプレイやＣＲＴディスプレイなどの表示装置とスピーカ（図示せず）などの音声出力装置等で構成される出力装置３０３と、を具備して構成されている。
【００１９】
前記パソコン本体３０１は、主メモリと、基本プログラム及びアプリケーションプログラムや各種データが格納されるハードディスク装置などの補助メモリと、主メモリから読み込んだ各種プログラム及びデータを用いて基本処理及びアプリケーション処理などの各種の処理を行う中央処理装置であるＣＰＵと、各種の入出力インターフェース及び入出力端子（ＵＳＢポートを含む）と、を少なくとも有している。また、機能的には、パソコン本体３０１は、画像データをディスプレイに表示可能なビデオ信号として再生させる再生手段（ＣＰＵ等の映像処理を含む）を有する一方、音声データをスピーカで再生可能な音声周波の信号として再生させる再生手段（ＣＰＵ等の音声再生処理を含む）を有している。
【００２０】
パソコン３００には、レコーダ１００から音声データ及び画像データをダウンロードして編集できるアプリケーションプログラムがインストールされている。すなわち、パソコン３００は、レコーダ１００からの音声データ及び画像データを取り込んで編集可能な情報処理装置として機能するようになっている。
【００２１】
パソコン３００内に、レコーダ１００からの音声データ及び画像データを取り込むには、レコーダ１００とパソコン３００とを、ＵＳＢケーブル２００を介して相互に接続し、パソコン３００の上記アプリケーションプログラムを起動することで、該アプリケーション上のダウンロード用操作ボタンをマウス（図示せず）にてクリックするだけで、簡単に、レコーダ１００に記憶された音声データ及び／又は画像データをパソコン３００に転送することができるようになっている。
【００２２】
図４は、上記一実施形態におけるレコーダの具体的な構成を示したブロック図である。
この図４に示すように、音声を電気信号に変換するマイクロフォン（ＭＩＣと略記）５の出力端は音声入力部６の入力端に接続されており、また前記音声入力部６の出力端はデジタル信号処理部（ＤＳＰと略記）１３の入力端に接続されている。
【００２３】
さらに、上記デジタル信号処理部１３の出力端は音声再生部７の入力端に接続されており、この音声再生部７の出力端はスピーカ（ＳＰと略記）８の入力端に接続されている。
【００２４】
同様に、画像を電気信号に変換する撮像素子（ＣＣＤと略記）１の出力端は、画像入力部２の入力端に接続されており、前記画像入力部２の出力端は、上記デジタル信号処理部１３の入力端に接続されている。
【００２５】
さらに、上記デジタル信号処理部１３の出力端は、画像再生部３の入力端に接続されており、また前記画像再生部３の出力端は、例えばＴＦＴタイプのＬＣＤ等で構成されている画像表示部４の入力端に接続されている。
【００２６】
上記画像再生部３は、ビデオ制御回路、及びＤ／Ａ変換器（いずれも図示せず）で構成されており、この画像再生部３で入力されるデジタル信号をアナログ信号に変換する。また、前記画像表示部４は、図示しない選択手段により選択された画像データを再生表示したり、図示しないデータ選択手段により選択された音声データ或いは画像データの属性情報を表示する表示機能を有している。
【００２７】
なお、画像再生部３及び画像表示部４を省略（削除）した構成としてもよい。すなわち、画像再生部３及び画像表示部４が無くても、パソコン３００に音声データ，画像データをファイル転送し、パソコン３００のディスプレイ３０３に表示されたアプリケーション上にて画像データを再生表示したり、音声データ或いは画像データの属性情報を表示させることができる。
【００２８】
上記音声入力部６は、前記マイクロフォン５からの電気信号を増幅するマイクアンプ、不要な周波数帯域をカットするローパスフィルタ、及び入力される音声信号（アナログ信号）をデジタル信号に変換するＡ／Ｄ変換器（いずれも図示せず）で構成されている。
【００２９】
上記音声再生部７は、上記デジタル信号処理部１３より入力されるデジタル信号をアナログ信号に変換するＤ／Ａ変換器、不要な周波数帯域をカットするローパスフィルタ、及び音声信号を増幅するパワーアンプ（いずれも図示せず）で構成されており、図示しない選択手段により選択或いは指示された音声データを再生する音声再生機能を有している。
【００３０】
上記画像入力部２は、アイリス、ゲイン、ホワイトバランス等の各制御回路、及びＡ／Ｄ変換器（いずれも図示せず）で構成されており、前記撮像素子１が出力する各画素信号を、上記画像入力部２によりデジタル信号に変換する。
【００３１】
上記デジタル信号処理部１３は、後述するシステム制御部１０によって制御され、録音時には上記音声及び画像の各デジタル信号をフレーム単位で所定の符号化フォーマットの音声データ及び画像データに符号化（圧縮）する。そして、符号化された各データは、一時的にシステム制御部１０の図示しないバッファメモリに記憶される。また、再生時には前記バッファメモリから音声データ、及び画像データをフレーム単位で復号化（伸長）する処理を行う。
【００３２】
前記デジタル信号処理部１３には、システム制御部１０が接続されており、このシステム制御部１０には、上記デジタル信号処理部１３以外に、記憶部（メモリ）１２、操作部１１、及び表示部９がそれぞれ接続されている。
上記システム制御部１０は、ＣＰＵ等で構成され、本装置全体の制御を行うものである。
【００３３】
また、上記記憶部（メモリ）１２は、不揮発性の半導体メモリ、例えばフラッシュメモリ等で構成されており、音声データを記録する音声記憶領域と画像データを記録する画像記憶領域とを有し、複数の音声データを格納する音声フォルダと複数の画像データを格納する画像フォルダとを有する記憶機能を有している。前記記憶部１２は、録音時は、上記デジタル信号処理部１３で符号化された音声データ及び／又は画像データを上記システム制御部１０の図示しないバッファメモリを介して記憶する。このとき、音声データと画像データとの関連付けを示すリンク情報（すなわちインデクス情報）も記憶する。このインデクス情報は、音声データを一定期間、時間的に連続的に記録していく過程において、その一定期間内の音声記録中において、撮像素子１の撮影動作を行うシャッタボタンを適宜に（すなわち、撮影が必要な時に）押すことによってそのシャッタ時点で静止画データを記憶部１２に取り込んで記憶するとき、記録中の音声データとリンク付けして画像データを記憶するために、画像データを音声データに挿入する際の時間的位置（タイミング）を示す情報である。これについては、後で図５を参照して説明する。
【００３４】
上記操作部１１は、各種機能を制御するための操作ボタンであり、録音ボタン（ＲＥＣ）、メニュー／フォルダ（ＭＥＮＵ／ＦＯＬＤＥＲ）ボタン、シャッタボタン、ホールドボタン（ＨＯＬＤ）、消去ボタン（ＥＲＡＳＥ）、集中型のボタン群〔　再生ボタン／決定ボタン（ＰＬＡＹ／決定）、停止ボタン（ＳＴＯＰ）、早送り／＋選択ボタン（ＦＦ／選択）、早戻し／−選択ボタン（ＲＥＷ／選択）　〕等からなる。なお、集中型のボタン群を構成する各ボタンはそれぞれ独立して存在していもよい。
【００３５】
メニュー／フォルダ（ＭＥＮＵ／ＦＯＬＤＥＲ）ボタンを複数回押すことにより上記表示部９に音声フォルダまたは画像フォルダを表示させた後、録音ボタン（ＲＥＣ）を押すことにより、録音動作を開始でき、またその録音状態でシャッタボタンを押すことにより、音声に関連付けたインデクスとなる画像の撮影を行うことができる。或いは、メニュー／フォルダ（ＭＥＮＵ／ＦＯＬＤＥＲ）ボタンで上記表示部９に画像フォルダを表示させた後、録音ボタン（ＲＥＣ）を押すことなく、シャッタボタンを押すことにより、音声に関連付けされない独立したデジタルカメラとしての画像撮影（すなわち、デジカメ撮影）を行うことができる。さらに、メニュー／フォルダ（ＭＥＮＵ／ＦＯＬＤＥＲ）ボタンを所定時間以上押すことにより上記表示部９にメニュー画面を表示させた後、±選択ボタンを操作することにより、各種の設定（例えば時刻設定）を行うことができる。
【００３６】
上記表示部９は、上記操作部１１のいずれかのボタン操作により、所定のシーケンス動作が開始されたときの動作モード、またはその後の動作状況を表示するものである。例えば、録音ボタン（ＲＥＣ）を押した場合は、ファイル番号、録音の経過時間、及び録音可能な残り時間等を表示し、また、メニュー／フォルダ（ＭＥＮＵ／ＦＯＬＤＥＲ）ボタンを押した場合は、マイク感度（高／低）、録音モード（標準／ロング）、及びアラーム（オン／オフ）等の機能選択に関連した表示を行う。さらに、上記システム制御部１０が時計機能を有している場合は、現在日時の表示も行う。また、これら表示内容は、上記画像表示部４に表示してもよい。
【００３７】
音声データにインデクスとして画像データをリンクさせる場合に、音声データの何分何秒経過したところにどういう画像データがインデクスとしてリンクされているかということを情報として持つ場合には、その方法として、第１に、テーブルデータの様に音声データとは別ファイルとして持つ方法と、第２に、音声ファイルのヘッダ部分に、音声データのどの位置にどの画像がリンクされているのかをヘッダ情報として持たせる方法とがある。なお、こうした場合、パソコン側では、このヘッダ情報を読み出してそのリンクを解析しその結果を用いてアプリケーションでそのリンク関係を再生する。
【００３８】
図５は、本発明の実施の形態に係るもので、レコーダ側で作成される音声ファイルの例を示している。
図５では、ヘッダと音声データからなる１つの音声ファイルの構成を示している。ヘッダは、その中に、レコーダ１００内の時計手段（図示せず）にて計測される時刻データに基づいて作成される音声データの録音開始日時、ＳＰ（標準）モード，ＬＰ（長時間）モードなどを示す録音レート、音声データに関連付けされる画像インデクスのリンク数（すなわち画像インデクス数）、音声データに画像インデクスとして関連付けられる画像データの画像ファイル名、その画像ファイルが音声データのどこの時間位置（音声データの開始から何分何秒の位置）にリンクされているかを示すリンク時間、そしてこの画像ファイル名及びそのリンク時間を１つのセットとして全部で例えば５０セット分の画像ファイル名及びそのリンク時間の組、が設定可能となっている。これらの５０セット分のデータの後に、本体である音声データが設けられて、１つの音声ファイルを構成している。１つの音声ファイル内に設けられる上記の録音開始日時，録音レート，リンク数，画像ファイル名，及びリンク時間などの各細目（ｄｅｔａｉｌ）データは、それぞれ、属性情報として、アドレス（ａｄｒｅｓｓ）、サイズ（ｓｉｚｅ）、フォーマット（ｆｏｒｍａｔ）が図５の様になっている。アドレス（ａｄｒｅｓｓ）はそのデータが記憶される記憶部１２内における音声ファイルの先頭からの番地であり、サイズ（ｓｉｚｅ）は記憶されるデータ量をバイトで表しており、フォーマット（ｆｏｒｍａｔ）はＡＳＣＩＩ形式か、バイナリ（ｂｉｎａｒｙ）形式かを示すものである。
【００３９】
図５には、１かたまりの音声データである１音声ファイルの構成を示しているが、これにリンクする少なくとも１つの画像データ（上記画像ファイル名として与えられている画像データ）は音声ファイルとは別の画像ファイルとして別の画像記憶領域に記憶される。また、図５は１音声ファイルの構成を示しているが、この音声ファイルとは別のファイルとして（すなわち別の時間に）新たに録音を行う毎に、上記のようなヘッダ情報を持った別の音声ファイルが次々に作成されていくことになるが、同じ音声記憶領域に別々のファイルとして記憶される。
【００４０】
図１は本発明の一実施の形態の情報処理装置における特徴的な動作フローであり、パソコン側におけるアプリケーションの要部の動作フローを示している。また、図２はその動作フローに対応するアプリケーション画面を示している。
【００４１】
まず、図２にてアプリケーション画面について説明する。この画面は、レコーダから音声データ及び画像データをダウンロードして編集するためのアプリケーションプログラムを起動した状態を示している。
【００４２】
操作画面２１は、ファイル，編集，標準，ツール，転送，ヘルプなどからなるメニューバーのほかに、再生，停止，早送り，早戻しなどの各ボタンと音声データスライダ部２３からなる音声データ操作部２２と、フォルダ表示部２４と、音声データ表示部２５と、サムネイル表示部２６など、を有して構成されている。
【００４３】
音声データスライダ部２３は、再生時間位置（摘み形状で表示されている、以下単に再生位置という）を示す表示マーク２９と、該再生位置の表示マーク２９を時間軸２７に沿って移動するためのスライダ部と、該スライダ部の長手方向に沿って設けられた時間軸２７と、該時間軸２７の上に音声データと関連付けられた画像データが存在することを示す（すなわち画像インデクス位置を示す）１つ以上のインデクスマーク（例えば２８−１，２８−２，２８−３）とを有している。この音声データスライダ部２３は、機能的には、画像データがリンクされている音声データ中の再生位置である画像インデクス位置を表示する表示手段として機能するものである。なお、インデクスマーク（例えば２８−１，２８−２，２８−３）は時間軸２７上に適宜に移動して設定することが可能である。
【００４４】
フォルダ表示部２４には、パソコン３００に転送された音声データ及び画像データを格納する転送ファイルトレイが用意されており、転送ファイルトレイ内には、音声データを格納する音声フォルダＡ，Ｂと、画像データを格納する画像フォルダとが設けられている。
【００４５】
音声データ表示部２５は、画面左のフォルダ表示部２４で選択されているフォルダ（例えば、Ａフォルダ３１）の中にある音声データ（再生可能な形式のみ）をリスト表示するものである。現在、上から２つ目の音声データ３２が選択されており、この選択状態では音声データ３２に含まれる該音声データとリンクされている複数（図では３つ）の画像データ（インデクス）がファイル名と共に画面右のサムネイル表示部２６にサムネイル表示されている。
【００４６】
図２は、音声データ操作部２２の再生ボタンをクリックして、現在、音声データ３２を再生している状態を示しており、再生位置表示マーク２９が左端から右方向に進行した位置に来ている。時間軸２７上には３つのインデクスマーク２８−１，２８−２，２８−３が表示されている。この３つのインデクスマーク２８−１，２８−２，２８−３はそれぞれ、サムネイル表示部２６に表示されている３つのサムネイル画像に対応するものである。現在、マウスカーソルであるポインタ３０によってインデクスマーク２８−２が選択されて移動している状態、すなわち、ドラッグ中の状態を示しており、サムネイル表示部２６上の対応するサムネイル画像ＤＷ＿Ｃ００８．ｊｐｇの外周辺を囲むように枠状の太線３３が表示されている。これは、現在、インデクスマーク２８−２の選択に対応する画像データがＤＷ＿Ｃ００８．ｊｐｇであることを表している。
【００４７】
次に、図１を参照して本発明の特徴である画像インデクス位置の変更の動作フローについて説明する。
まず、図２に示されているように、図示しないマウスの操作により、インデクスマーク２８−２にポインタ３０を合わせて、マウスのボタンを押した状態になったら、図１のフローチャート（インデクスマークのドラッグ＆ドロップの動作）に入る。
【００４８】
ステップＳ１では、インデクスマーク２８−２がマウスによってドラッグされると、インデクスマーク２８−２は通常時（非選択状態）では例えば赤色で表示されていたものが緑色で表示される。このインデクスマークの表示変更と同時に、該インデクスマークに対応する画像ＤＷ＿Ｃ００８．ｊｐｇの方も選択されていることが分るように例えば、画像の周辺に枠状の太線３３が表示される。
【００４９】
そして、ステップＳ２でポインタ３０の座標を取得する。これは、後にポインタを動かしその動きに応じてインデクスマークを移動しなければならないので、その座標を取るものである。
【００５０】
次のステップＳ３では、座標に従ってインデクスマーク２８−２をマウス操作によって移動する。そして、ドラッグ終了か否かを判定する（ステップＳ４）。つまり、ユーザーがポインタ３０を所望の再生位置までスライド移動させた後、マウスの左ボタンを押した状態から離すと、次ステップＳ５へ移行する。マウスの左ボタンが離されるまでは、ステップＳ４→Ｓ１→Ｓ２→Ｓ３を繰り返す。ステップＳ１〜Ｓ４は、画像がリンクされている再生時間位置を変更する変更手段、若しくは音声データの再生中に画像インデクス位置を変更させる変更手段を構成している。
【００５１】
マウスの左ボタンが離され、ドラッグが終了した時点で、どこにインデクスが置かれるのかが確定する。そのときのポインタ３０の座標などで音声データのインデクスのリンクされる再生位置が分るので、ステップＳ５のように先述のヘッダのリンク時間を書き替える。すなわち、対応する画像インデクス部分のリンクデータを更新する。
【００５２】
次にステップＳ６に進み、選択されている画像インデクスマークの位置の変更に伴い、選択された画像インデクスと選択されていない他の画像インデクスとの間で位置関係が変化した場合には、サムネイル表示部２６での画像の表示の順番の入れ替えを行う。その後、ステップＳ７に進み、音声データの再生中か否かを判断する。ステップＳ７にて音声データが再生中でなかった場合には、そのままアプリケーションプログラムのメインルーチンにリターンするが、ステップＳ７で音声データが再生中であった場合には、ステップＳ８へ進む。
【００５３】
次のステップＳ８では、再生位置（つまみ）の表示マーク２９を前述のドラッグが終了した位置に移動（ジャンプ）し、メインルーチンにリターンすることで、そこから音声データの再生を継続することになる。ステップＳ８は、再生位置の変更が行われたときに、音声データを該変更後のインデクス画像がリンクされている再生位置から再生が開始されるように設定する設定手段、若しくは画像インデクス位置の変更が終了した後、該変更が行われた画像インデクス位置へ音声データの再生位置を移動する再生位置移動手段を構成している。
【００５４】
以上のように、カメラ付きレコーダで録音中に適宜の時間にシャッタを押すことによってレコーダ側で画像データ（画像インデクス）がリンクされた音声データを取得し、この画像インデクスがリンクされた音声データをパソコン側のアプリケーション画面上に表示したとき、音声データスライダ部２３のスライダに沿う時間軸２７には画像インデクス位置を示すインデクスマーク２８−１，２８−２，２８−３が表示されている。このインデクスマークはドラッグすることにより、マーク位置を調節できる。
【００５５】
しかも、音声データの再生中に、上記インデクスマークのドラッグが終了したときにはその調整位置に音声データの再生位置（つまみ）を自動的に移動させる。そして、その調整位置から再生を再開する。
【００５６】
このように音声データの再生中に、画像データのリンク位置（画像インデクス位置）を調節した場合には、その調節が終了した位置から音声データの再生を行えるように構成すると、次のような時に有用である。すなわち、インタビュー時に録音した内容を再生する場合などに、録音ボタンを押して録音状態としても、実際の会話が遅れて開始されたり、或いは無用な音声が会話の合間に長い時間記録されたりすることがあるが、話始めた時間位置に画像のインデクスマークを移動して設定（調節）すると、音声ファイルにおける必要な音声部分のみ素早く再生することが可能となる。また、後に再び再生して聴く場合においては、再生中に設定（調節）したインデクス位置がそのまま保存されるようになっているので、アプリケーション画面上の音声データスライダ部２３の適宜のインデクスマークをダブルクリックしたり、サムネイル表示部２６の適宜の画像をダブルクリックすると、同時にそのインデクス位置から音声データを再生することができるようになっている。
【００５７】
なお、本実施の形態では、音声データ再生の停止中にインデクスマークの位置を変えると、マーク位置はその変えた位置に設定されるが、そこから自動的に開始することはない。しかしながら、停止中であっても、変更した位置から自動的に再生を開始するように構成することも容易に可能である。
【００５８】
【発明の効果】
以上述べたように本発明によれば、音声データにリンクされている画像データのリンク位置を容易に調節できる情報処理装置及び情報処理プログラムを実現することが可能となる。
【図面の簡単な説明】
【図１】本発明の一実施の形態の情報処理装置における、パソコン側のアプリケーションの要部の動作フローを示す図。
【図２】図１の動作フローに対応するアプリケーション画面を示す図。
【図３】本発明の一実施の形態である情報処理装置に使用するコンピュータと、レコーダとの接続状態を外観的に示す図。
【図４】本発明の一実施形態におけるレコーダの具体的な構成を示したブロック図。
【図５】本発明の実施の形態に係るもので、レコーダ側で作成される音声ファイルの例を示す図。
【符号の説明】
２１…操作画面
２２…音声データ操作部
２３…音声データスライダ部
２４…フォルダ表示部
２５…音声データ表示部
２６…サムネイル表示部
２７…時間軸
２８−１，２８−２，２８−３…インデックスマーク
２９…再生時間位置（摘み）マーク
３０…マウスカーソル（ポインタ）
３３…選択表示（太い枠線）
１００…音声記録再生装置（レコーダ）
３００…コンピュータ（パソコン）
【図１】
2004133134.tif 000003
【図２】
2004133134.tif 000004
【図３】
2004133134.tif 000005
【図４】
2004133134.tif 000006
【図５】
2004133134.tif 000007